(57)【要約】【課題】ケーブルへ機械的な負担をかけることがなく、最小曲げ半径が確保できて、良好な接続性が得られる高圧電力ケーブルの分岐接続箱を提供する。【解決手段】支持物に据え付けられ、ケーブルを内部に引き込んで分岐線を外部に引き出すための分岐接続箱であって、前記分岐接続箱は、正面扉、天蓋部、右側面、左側面、底面開口部、背面を有する四角立体形状の筐体からなり、前記正面扉は開閉自在に構成され、前記背面において前記支持物に固定され、前記天蓋部を通してケーブルを内部引き込み、前記底面開口部を通して前記分岐線ケーブルを外部に引き出すように構成される。【選択図】    図１
2009142106.tif 000002
【特許請求の範囲】
【請求項１】
支持物に据え付けられ、ケーブルを内部に引き込んで分岐線を外部に引き出すための分岐接続箱であって、
前記分岐接続箱は、
正面扉、天蓋部、右側面部、左側面部、底面開口部、背面部を有する四角立体形状の筐体からなり、
前記正面扉は開閉自在であって、
前記背面部の側において前記支持物に固定され、
前記天蓋部を通してケーブルを内部引き込み、
前記底面開口部を通して前記分岐線を外部に引き出すように構成される、ことを特徴とする分岐接続箱。
【請求項２】
請求項１に記載の分岐接続箱において、
前記天蓋部には、前記ケーブルを引き込むための穴部と、前記ケーブルを前記穴部に防水して固定するためのクランプとが配設される、ことを特徴とする分岐接続箱。
【請求項３】
請求項１または２に記載の分岐接続箱において、
前記ケーブルは前記天蓋部の上方から引き込まれ、
前記分岐線は前記底面開口部から下方に引き出される、ことを特徴とする分岐接続箱。
【発明の詳細な説明】
【技術分野】
【０００１】
本発明は、高圧ＣＶケーブルなどのケーブル接続部を収納するための分岐接続箱に係るもので、より詳細には、装柱などの柱上に設置されるのに適する分岐接続箱の構造に関するものである。
【背景技術】
【０００２】
従来の分岐接続箱としては、地上設置型、側壁取付型などの種々タイプがあり、電車の線路脇の地面からあるいは地面から装柱に立ち上がったケーブルを接続するのに適するタイプもある。図２の分岐接続箱は、そのような従来例の一つで「Ｅ分岐接続箱」と呼ばれるものを示している。
この分岐接続箱３０は全体が四角立体形状の筐体からなり、地面に立てられた装柱(電柱)１０に据え付けられるものであり、外部から幹線である電力ケーブルをその内部に引き込んで、さらにそれを分岐させて分岐線として外部に引き出すためのケーブルの電気的分岐接続装置である。
【０００３】
図２における分岐接続箱３０は、正面扉３１、天蓋部３２、右側面部３３ａ、左側面部３３ｂ、ケーブルを通すための底面開口部３４、背面部３５を備え、装柱１０の所定個所から略水平方向に平行して配設された腕金物(１６ａと１６ｂ)上に取り付けられている。  ここで、正面扉３１は、右側の上下方向の端部にヒンジ機構を備えて開閉自在に構成されており、左側の端部側には開閉用のフックｆ１を有する。また、天蓋部３２には取り外しや持ち上げに用いる一対のフック(３８ａ、３８ｂ)が設けられ、右側面部３３ａにも同じく一対のフックｆ２が設けられている。
【０００４】
本発明に関連した技術文献としては、つぎのようなものがある。
【特許文献１】特開平１０−７０８２４号公報
【特許文献２】特開平１１−２２５４２５号公報
【発明の開示】
【発明が解決しようとする課題】
【０００５】
図２において、分岐接続箱３０に引き込まれる幹線ケーブル２０ａと２０ｂは、装柱１０の上部に略水平方向に張られた支持線１２に添って支持クランプ(１４ａと１４ｂ)によって把持されながら延線されてきており、分岐接続箱３０の上方から背面部３５の側を通って、支持クランプ１４ｃによって装柱１０に一旦留められて、そこからさらに底面開口部３４の下側を迂回されて、分岐接続箱３０の内部に引き込まれる構造となっており、底面開口３４から分岐線２０ｃが引き出されている。
【０００６】
図２に示す分岐接続箱３０のケーブルの引き出し構造において、さらに新たに架空ケーブルに関する引き込み条件が追加されて、スムースな接続箱への引き込みが要求されたことにより、これまで標準とされていた分岐接続箱３０の底面開口部３４からの引き込みの方式を用いると、装柱１０の上方から引き下げられてきたケーブルを、１８０度ターンしてから引き込まなければならなくなった。そのため、ターン部(ｔａ、ｔｂ)において、ケーブル最小曲げＲを確保出来ず、接続が困難となるという問題点が生じている。
【０００７】
本発明は、従来の分岐接続箱が有していた上記の問題点を解決しようとするものであり、ケーブルへ機械的な負担をかけることがなく、最小曲げ半径が確保できて、良好な接続性が得られる分岐接続箱を提供することを目的としている。
【課題を解決するための手段】
【０００８】
（１）支持物１０に据え付けられ、ケーブル(２０Ａ、２０Ｂ)を内部に引き込んで分岐線２０Ｃを外部に引き出すための分岐接続箱５０であって、
分岐接続箱５０は、
正面扉５１、天蓋部５２、右側面部５３ａ、左側面部５３ｂ、底面開口部５４、背面部５５を有する四角立体形状の筐体からなり、
正面扉５１は開閉自在に構成され、
背面部５５において支持物１０に固定され、
天蓋部５２を通してケーブル(２０Ａ、２０Ｂ)を内部引き込み、
底面開口部５４を通して分岐線２０Ｃを外部に引き出すように構成される。
【０００９】
（２）(１)の分岐接続箱において、
天蓋部５２には、ケーブル(２０Ａ、２０Ｂ)を引き込むための穴部５６と、ケーブル(２０Ａ、２０Ｂ)を穴部５６に防水して固定するためのクランプ５７とが配設される。
（３）(１)または(２)の分岐接続箱において、
ケーブル(２０Ａ、２０Ｂ)は天蓋部５２の上方から引き込まれ、
分岐線２０Ｃは底面開口５４から下方に引き出される。
【発明の効果】
【００１０】
・本発明では、接続の天蓋に穴を設け、上部よりケーブルを引き込む構造としたので、装柱に沿ってスムースに引き込むことが出来、また、ケーブルのくせ取りが容易である。
・本発明では、天蓋部のケーブル引き込み穴に防水用のケーブルクランプを設けることにしたので、ケーブルの接続や固定が容易にでき、さらに接続箱内への水の侵入を防止することができる。
【発明を実施するための最良の形態】
【００１１】
以下、本発明による「分岐接続箱」の実施の形態について、添付の図１を参照して説明する。
本発明の一実施形態にかかる分岐接続箱５０は、全体が四角立体形状の筐体からなり、地面に立てられた装柱１０に据え付けられるものであり、外部から幹線である電力ケーブル(２０Ａ、２０Ｂ)をその内部に引き込んで、さらにそれを分岐させて分岐線２０Ｃとして外部に引き出すためのケーブルの電気的分岐接続装置である。
【００１２】
本分岐接続箱５０は、正面扉５１、天蓋部５２、右側面部５３ａ、左側面部５３ｂ、底面開口部５４、背面部５５を有する箱状の筐体からなり、装柱１０上から略水平方向に平行して配設された２本の腕金物(１６ａと１６ｂ)上に、筐体の背面部５５の側が取り付けられている。
ここで、底面開口部５４はケーブルを通せる開口部を有する底面であるが、底面板を全く設けずに全面が開放(開口)されているものでもよいし、底面板を配設しておいてそこにケーブルを挿通するための穴部(開口部)を設けたものでもよい。
また、正面扉５１は、右側の上下方向の端部にヒンジ機構を備えて開閉自在であり、左側の端部側には開閉用のフックＦ１を有する。また、天蓋部５２には取り外しや持ち上げに用いる一対のフック(５８ａ、５８ｂ)が、右側面３３ａには同じく一対のフックＦ２が設けられている。
【００１３】
分岐接続箱５０は、天蓋部５２を上にして底面開口部５４を下にして、立設された装柱１０に据え付けられており、装柱１０に張架された支持線１２に添って架設されたケーブル(２０Ａ、２０Ｂ)を、分岐接続箱５０の上方から天蓋部５２を通してその内部に引き込んで、底面開口部５４から分岐線２０Ｃを外部に引き出すため構造となっている。
【００１４】
そして、この分岐接続箱５０は、天蓋部５２にはケーブル(２０Ａ、２０Ｂ)を上方から引き入れる穴部５６と、このケーブル(２０Ａ、２０Ｂ)を穴部５６に防水して固定するためのクランプ５７とが配設されており、このクランプ５７によって、ケーブルを保持する際のふらつきや、接続箱内部への水の浸入を防止することができる。
クランプ５７としては、接続部材や締結接続部材に防水部材を組み合わせて適宜に設計されればよいものであるが、例えば、従来のコネクタ方式の接続保持手段に、ゴムや樹脂などの防水パッキンを組み合わせて構成することができる。
【００１５】
この分岐接続箱５０では、装柱１０に添って架設されてきたケーブル(２０Ａ、２０Ｂ)が天蓋部５２の上方から引き込まれて、分岐線２０Ｃが底面開口部５４から下方に引き出される構造となっているので、図２に示す従来の分岐接続箱のように、下げられてきたケーブルを１８０度ターンしてから引き込む必要はなくなり、ケーブル最小曲げＲの確保の問題点を解消することができる。
【図面の簡単な説明】
【００１６】
【図１】本発明による分岐接続箱の一実施形態を示す図であり、分岐接続箱５０の構成を示す図である。
【図２】従来の分岐接続箱３０を示す図であって、従来型でケーブルを接続する場合の問題となる条件を示す説明図（ケーブル最小曲げＲが確保できない状況を示す略図）を添付したものである。
【符号の説明】
【００１７】
５０    分岐接続箱
５１    正面扉
５２    天蓋部
５３ａ  右側面部
５３ｂ  左側面部
５４    底面開口部
５５    背面部
５６    ケーブル引き込み用の穴部
５７    クランプ
１０    支持物（装柱）
２０Ａ、２０Ｂ    ケーブル
２０Ｃ    分岐線
【図１】
2009142106.tif 000003
【図２】
2009142106.tif 000004